(57)【要約】【課題】車室内に伝達される騒音の低減を図りつつ車両の商品価値を高め、コストダウンを図る。【解決手段】カウルトップパネル１８とインストルメントパネル２４の前部との間に遮音材２６が車幅方向に亘って介設され、カウルトップパネル１８とインストルメントパネル２４の前部との間の隙間が遮音材２６により閉塞されている。遮音材２６によりインストルメントパネル２４の下方からインストルメントパネル２４の前方を通って車室１２内に伝達される騒音を遮音する。遮音材２６は、インストルメントパネル２４によって隠されているため、遮音材２６が乗員の視界に入ることがなく、遮音材２６の貼り付け位置の管理を緩めることができる。【選択図】図１
2015085891.tif 000002
【特許請求の範囲】
【請求項１】
ウィンドシールドガラスの下部を支持するカウルトップパネルの上方で前記ウィンドシールドガラスに沿って車幅方向に延在するインストルメントパネル前部の遮音構造であって、
前記インストルメントパネルの前端部下面と前記カウルトップパネルとの間に遮音材を車幅方向に亘って介設した、
ことを特徴とするインストルメントパネル前部の遮音構造。
【請求項２】
前記インストルメントパネルの前端に下方に屈曲したフランジが形成され、
前記遮音材は前記インストルメントパネルの前部下面で前記フランジに沿って車幅方向に延在している、
ことを特徴とする請求項１記載のインストルメントパネル前部の遮音構造。
【請求項３】
前記遮音材は、前記フランジ後端の屈曲部に沿って車幅方向に延在している、
ことを特徴とする請求項２に記載のインストルメントパネル前部の遮音構造。
【請求項４】
前記遮音材は、前記インストルメントパネルの前部下面に取り付けられ、前記カウルトップパネルに弾接される、
ことを特徴とする請求項１から３の何れか１項に記載のインストルメントパネル前部の遮音構造。
【発明の詳細な説明】
【技術分野】
【０００１】
本発明は車室内に伝達される騒音の低減を図ったインストルメントパネル前部の遮音構造に関する。
【背景技術】
【０００２】
車体の前部空間などから発生した騒音は、カウルトップパネルを介してインストルメントパネルの内側の空間にこもる。この騒音は、インストルメントパネルの前方を通って車室内に伝達される。
そこで、従来は、インストルメントパネルの前端に車幅方向に延在する遮音材を取り付け、この遮音材によりインストルメントパネルの前端とウィンドシールドガラスとの間を閉塞することで騒音の車室内への伝達を抑制している（特許文献１、２参照）。
【先行技術文献】
【特許文献】
【０００３】
【特許文献１】特開２００８−１４３４００号公報
【特許文献２】特開２０１０−１６３０１４号公報
【発明の概要】
【発明が解決しようとする課題】
【０００４】
しかしながら、上記従来技術では、インストルメントパネルに取り付けられた遮音材が乗員の視界に入るため、見栄えがよいものとはいえない。
特に、遮音材の貼り付け位置が遮音材の長手方向に沿ってばらつくと見栄えが悪く車両の商品価値を損ねるため、遮音材の貼り付け位置の管理を厳しく行なう必要があり、遮音材の貼り付け作業に時間を要し、コストダウンを図る上で改善の余地がある。
本発明は、上記事情に鑑みなされたものであり、車室内に伝達される騒音の低減を図りつつ車両の商品価値を高め、コストダウンを図る上で有利なインストルメントパネル前部の遮音構造を提供することを目的とする。
【課題を解決するための手段】
【０００５】
上記目的を達成するために、請求項１記載の発明は、ウィンドシールドガラスの下部を支持するカウルトップパネルの上方で前記ウィンドシールドガラスに沿って車幅方向に延在するインストルメントパネル前部の遮音構造であって、前記インストルメントパネルの前端部下面と前記カウルトップパネルとの間に遮音材を車幅方向に亘って介設したことを特徴とする。
請求項２記載の発明は、前記インストルメントパネルの前端に下方に屈曲したフランジが形成され、前記遮音材は前記インストルメントパネルの前部下面で前記フランジに沿って車幅方向に延在していることを特徴とする。
請求項３記載の発明は、前記遮音材が、前記フランジ後端の屈曲部に沿って車幅方向に延在していることを特徴とする。
請求項４記載の発明は、前記遮音材が、前記インストルメントパネルの前部下面に取り付けられ、前記カウルトップパネルに弾接されることを特徴とする。
【発明の効果】
【０００６】
本発明に係るインストルメントパネル前部の遮音構造によれば、遮音材によりインストルメントパネルの下方からインストルメントパネルの前方を通って車室内に伝達される騒音を遮音できることは無論のこと、遮音材は、インストルメントパネルによって隠されているため、遮音材が乗員の視界に入ることがなく車両の商品価値を高める上で有利となる。
また、遮音材の貼り付け位置の管理を緩めることができることから、遮音材の貼り付け作業に要する時間を短縮でき、コストダウンを図る上で有利となる。
さらに、インストルメントパネル前端に形成したフランジにより遮音材を車幅方向に沿って簡単かつ確実に配置でき、作業性の効率化を図る上で有利となる。また、フランジによって遮音材の変形や倒れが抑制され、遮音材とカウルトップパネルとの密着性が高められるので、遮音性を確保する上で有利となる。
【図面の簡単な説明】
【０００７】
【図１】実施の形態に係るインストルメントパネル前部の遮音構造を示す断面図である。
【図２】変形例におけるインストルメントパネル前部の遮音構造を示す断面図である。
【発明を実施するための形態】
【０００８】
以下、本発明の実施の形態について図面を参照して説明する。
車両１０は、車室１２の前方に車体の前部空間Ｓを有している。
車体の前部空間Ｓには、ガソリン車あるいはディーゼル車の場合には、例えば、エンジンおよびラジエータが配置され、ハイブリッド車の場合には、例えば、エンジンおよびラジエータに加えてモータに電力を供給するコンバータが配置され、電気自動車の場合には、例えば、モータに電力を供給するコンバータが配置される。
【０００９】
車体の前部空間Ｓと車室１２はダッシュパネル１４で仕切られ、ダッシュパネル１４は鋼板で構成されている。
ダッシュパネル１４の車室１２側に対向する表面全域には、防音部材を構成するインシュレータパッド１６が貼り付けられている。
ダッシュパネル１４の下端は、車室１２の下部を仕切るフロアパネル（不図示）の前端に接続されている。
ダッシュパネル１４の上端にはカウルトップパネル１８が連結され、カウルトップパネル１８は鋼板で構成されている。
カウルトップパネル１８は、ウィンドシールドガラス２０の下部を支持するものであり、車幅方向に沿って延在している。
符号２２は、ウィンドシールドガラス２０の内面の下部とカウルトップパネル１８の上面１８０２とに接着された位置決めスペーサである。
【００１０】
インストルメントパネル２４は、車室１２の前部において車幅方向に亘って設けられている。インストルメントパネル２４は、その前部がカウルトップパネル１８を覆うようにカウルトップパネル１８の上方に位置され、ウィンドシールドガラス２０の後面に沿って車幅方向に延在している。
インストルメントパネル２４の前端には、下方に屈曲したフランジ２４０２が車幅方向に沿って延在形成されている。
このようなフランジ２４０２を形成することでインストルメントパネル２４の前端の剛性を確保している。
【００１１】
カウルトップパネル１８とインストルメントパネル２４の前部との間には、遮音材２６が車幅方向に亘って介設されている。
本実施の形態では、遮音材２６はインストルメントパネル２４の下面２４１０の前方の位置でフランジ２４０２の後端の屈曲部２４０４に沿って車幅方向に延在している。
遮音材２６としては、弾性を有する多孔質材料やゴムなど従来公知の様々な材料が使用可能である。
遮音材２６は、断面矩形の細長形状を呈しており、４つの側面のうちの１つの側面２６０２が接着剤あるいは両面粘着テープによりインストルメントパネル２４の下面２４１０に接着されている。
また、遮音材２６は、４つの側面のうちの他の１つの側面２６０４がカウルトップパネル１８の上面１８０２に弾接している。
したがって、カウルトップパネル１８とインストルメントパネル２４の前部との間の隙間が遮音材２６により閉塞されている。
【００１２】
本実施の形態によれば、カウルトップパネル１８とインストルメントパネル２４の前部との間に介設した遮音材２６によりインストルメントパネル２４の下方からインストルメントパネル２４の前方を通って車室１２内に伝達される騒音を遮音する。
また、遮音材２６は、インストルメントパネル２４によって隠されているため、遮音材２６が乗員の視界に入ることがなく車両の商品価値を高める上で有利となる。
また、遮音材２６が乗員の視界に入らないため、遮音材２６の貼り付け位置の管理を緩めることができ、遮音材２６の貼り付け作業に要する時間を短縮でき、コストダウンを図る上で有利となる。
【００１３】
また、本実施の形態では、インストルメントパネル２４の前端に下方に屈曲したフランジ２４０２を形成し、フランジ２４０２後端の屈曲部２４０４に沿って遮音材２６を車幅方向に延在しているため、遮音材２６をインストルメントパネル２４に取り付ける際に、フランジ２４０２に沿って簡単かつ確実にばらつきを抑えて車幅方向に配置でき、作業性の効率化を図る上で有利となる。
さらに、遮音材２６がインストルメントパネル２４とカウルトップパネル１８との間で挟まれることによって潰れても、下方に屈曲するフランジ２４０２により遮音材２６の前方側が支持されて遮音材２６の変形や前方への倒れこみが抑制される。そのため、遮音材２６とカウルトップパネル１８との密着性が高められ、遮音性を確保する上でより有利となる。また、フランジ２４０２により遮音材２６が変形してインストルメントパネル２４の前端からはみ出して見栄えが悪化することを防止できる。
【００１４】
なお、図２に示すように、カウルトップパネル１８の表面に防音部材を構成するパッド材２８が貼り付けられていている場合、遮音材２６は、パッド材２８を介してカウルトップパネル１８の表面に弾接する。この場合には、遮音性を向上する上でより有利となる。
【符号の説明】
【００１５】
１０  車両
１２  車室
１８  カウルトップパネル
２０  ウィンドシールドガラス
２４  インストルメントパネル
２４０２  フランジ
２４０４  屈曲部
２４１０  下面
２６  遮音材
【図１】
2015085891.tif 000003
【図２】
2015085891.tif 000004